(57)【要約】【課題】従来のフローティングコアによるパイプ成形法を利用し、その利点を生かしつつ、各種分岐部付パイプを合成樹脂で効率よく一体成形できるようにする。【解決手段】一端にフローティングコア１を備えた加圧ポート２を有し、他端に第一排出口３を有する主キャビティ４内と、主キャビティ４に連通し、端部に開閉可能な第二排出口６を有する分岐部キャビティ５内に、溶融樹脂を射出した後、  加圧ポート２から加圧流体を圧入して、フローティングコア１を第一排出口３側に移動させると共に第一排出口３から溶融樹脂を押出させ主パイプ中空部を形成せしめる工程と、  主パイプ中空部が分岐部キャビティ５と主キャビティ４の連通部分に達した後に、第二排出口６を開放して、第二排出口６から溶融樹脂を加圧流体にて押出させ分岐パイプ中空部を形成せしめる工程と、を有する分岐部付パイプの製造方法。【選択図】図２
2010195032.tif 000002
【特許請求の範囲】
【請求項１】
一端にフローティングコアを備えた加圧ポートを有し、他端に第一排出口を有する主キャビティ内と、該主キャビティに連通し、端部に開閉可能な第二排出口を有する分岐部キャビティ内に、溶融樹脂を射出した後、
前記加圧ポートから加圧流体を圧入して、前記フローティングコアを第一排出口側に移動させると共に該第一排出口から前記溶融樹脂を押出させ主パイプ中空部を形成せしめる工程と、
前記第二排出口から前記溶融樹脂を加圧流体にて押出させ分岐パイプ中空部を形成せしめる工程と、
を有することを特徴とする分岐部付パイプの製造方法。
【請求項２】
前記分岐パイプ中空部を形成せしめる工程は、前記主パイプ中空部が前記分岐部キャビティと主キャビティの連通部分に達した後に、第二排出口を開放して、該第二排出口から前記溶融樹脂を加圧流体にて押出させ分岐パイプ中空部を形成せしめる工程であることを特徴とする請求項１に記載の分岐部付パイプの製造方法。
【発明の詳細な説明】
【技術分野】
【０００１】
本発明は合成樹脂で一体射出成形されたパイプ、特に中空の分岐部を有するパイプの製造法に関する。
【背景技術】
【０００２】
従来、合成樹脂でパイプを一体成形できる方法及び装置としては、キャビティの一端には、パイプの内径に相当する径を有するフローティングコアと、加圧流体を圧入するための加圧ポートとが設けられていると共に、キャビティの他端には排出口が設けられている金型を用い、キャビティ内を溶融樹脂で満たした後、加圧ポートから加圧流体を圧入して、フローティングコアを排出口側に移動させて、主キャビティ内の樹脂中に中空部を形成すると共に排出口から余剰の樹脂を押し出すことで中空のパイプを一体成形する方法及び装置が知られている（特許文献１，２）。
【０００３】
しかしながら、特許文献１，２の方法及び装置は、パイプの中空部分をいわばフローティングコアの移動跡として形成するものである。そして、フローティングコアの移動は一方向のみに限られるので、分岐部を有するパイプの製造ができない問題がある。フローティングコアを複数設け、夫々を別々の方向に移動させることで分岐部付のパイプを一体成形できるようにも考えられるが、複数のフローティングコアを別々の方向に移動できるようにするのは、金型構造上極めて困難である。
【０００４】
特許文献３には、フローティングコアを用いた成形法で分岐部付パイプを製造する方法が開示されている。
【先行技術文献】
【特許文献】
【０００５】
【特許文献１】特許第１９８８８７０号公報
【特許文献２】特許第３４６２２９０号公報
【特許文献３】特許第３７７１２９５号公報
【発明の概要】
【発明が解決しようとする課題】
【０００６】
しかし特許文献３の方法は分岐部を成形するのにスライドコアを用いており、直管の分岐部しか成形できない、成形直後は主パイプ部と分岐部が薄い樹脂膜で結合しておりそれを完全に取り除くのには機械加工が必要である、等の点から用途範囲が限定されていた。
【０００７】
本発明はかかる問題点に鑑みてなされたもので、従来のフローティングコアによるパイプ成形法を利用し、その利点を生かしつつ、各種分岐部付パイプを合成樹脂で効率よく一体成形できるようにすることを目的とする。
【課題を解決するための手段】
【０００８】
即ち、本発明の分岐部付パイプの製造方法は、
一端にフローティングコアを備えた加圧ポートを有し、他端に第一排出口を有する主キャビティ内と、該主キャビティに連通し、端部に開閉可能な第二排出口を有する分岐部キャビティ内に、溶融樹脂を射出した後、
前記加圧ポートから加圧流体を圧入して、前記フローティングコアを第一排出口側に移動させると共に該第一排出口から前記溶融樹脂を押出させ主パイプ中空部を形成せしめる工程と、
前記第二排出口から前記溶融樹脂を加圧流体にて押出させ分岐パイプ中空部を形成せしめる工程と、
を有することを特徴とする。
【発明の効果】
【０００９】
本発明によれば、主パイプ部、分岐パイプ部のいずれもが曲管であっても、一体成形することができる。また、射出成形法によって成形するため、寸法精度が高く、外観も良好な分岐部付パイプをコスト的に有利に製造しうる。
【図面の簡単な説明】
【００１０】
【図１】本発明により製造される分岐部付パイプの一例を示す断面図である。
【図２】図１の分岐部付パイプの製造に用いられる金型を示す断面図である。
【図３】本発明の製造方法の説明図である。
【図４】本発明の製造方法の説明図である。
【図５】本発明の製造方法の説明図である。
【図６】本発明の製造方法の説明図である。
【図７】図２の金型から取り出される成形品の断面図である。
【発明を実施するための形態】
【００１１】
図１は、本発明により製造される分岐部付パイプの一例を示す断面図である。本発明により製造される分岐部付パイプは、主パイプ部９、分岐パイプ部１０、必要に応じて設けられる鍔部１６などからなり、主パイプ部９，分岐パイプ部１０内には、それぞれ主パイプ中空部７，分岐パイプ中空部７’が形成されている。
【００１２】
図２は、図１の分岐部付パイプの製造に使用する金型の断面図である。図２中、４は図１に示される主パイプ部９を成形する主キャビティである。図２においてゲート１１を主キャビティ４に開口させてあるが、後述する分岐部キャビティ５等任意の位置に設けることが出来る。また図２に於ける主パイプ部９、分岐パイプ部１０は湾曲したものとなっているが、直線状とすることも出来る。
【００１３】
主キャビティ４の一端には、主パイプ部９の内径に相当する径を有するフローティングコア１が設けられていると共に、このフローティングコア１を主キャビティ４の他端側へ押圧移動させる加圧流体を圧入するための加圧ポート２が設けられている。
【００１４】
フローティングコア１は、加圧ポート２から圧入される加圧流体で押圧できるよう、加圧ポート２を背にして主キャビティ４内に設けられているもので、例えば銅、黄銅、ステンレス鋼、鉄、アルミニウム等の金属製とする他、成形時に大きく溶融変形しないものであれば合成樹脂製とすることもできる。特に合成樹脂製とすると、軽いことから加圧流体の圧力をさほど高くしなくとも容易に押圧移動させることができると共に、金属製の場合に比して、射出されてフローティングコア１に接触した樹脂が急速な冷却を受けにくいので主パイプ部９の加圧ポート２側内表面状態が向上する利点がある。フローティングコア１の形状は、図示される球形の他、最大径が主パイプ部９の内径に相当するものであれば、例えば円錐形、砲弾形、半球形とすることもできる。
【００１５】
加圧ポート２は、加圧流体を圧入・排出するための加圧流体系（図示されていない）に接続されている。
【００１６】
主キャビティ４の他端部には、第一排出口３が設けられており、この第一排出口３は第一余剰樹脂収容キャビティ１２に接続されている。また、第一排出口３は第一開閉手段１３によって開閉可能となっている。
【００１７】
主キャビティ４の任意の位置には主キャビティ４に連通して分岐部キャビティ５が設けられている。この分岐部キャビティ５は分岐パイプ部１０を成形するものである。この分岐部キャビティ５の端部には、第二排出口６が設けられており、この第二排出口６は第二余剰樹脂収容キャビティ１５に接続されている。また、第二排出口６は第二開閉手段１４によって開閉可能となっている。
【００１８】
尚、図２では分岐部キャビティ５を主キャビティ４に対して垂直方向に設けてあるが、傾きを持たせることもでき、任意の角度で設けることが可能である。
【００１９】
後述するように、主パイプ中空部７はフローティングコア１の移動により形成され、分岐パイプ中空部７’は加圧ポート２から圧入される加圧流体により、形成される。
【００２０】
次に、図３〜図７に基づいて本発明に係る製造方法を説明する。
【００２１】
まず図３に示されるように第一排出口３，第二排出口６を閉じた状態で溶融樹脂をゲート１１から射出し、主キャビティ４及び分岐部キャビティ５を溶融樹脂で満たす。尚、溶融樹脂の射出は、主キャビティ４及び分岐部キャビティ５内がほぼ満たされる量を射出することでもよい。この場合、主キャビティ４若しくは分岐部キャビティ５等に未充填部が残されていても、後述する加圧流体の圧入時に満たすことができ、かつ、第二排出口を開放する際に保圧状態を維持できるのであれば、第一開閉手段１３を有さない金型８による成形が可能となる。
【００２２】
樹脂としては一般の射出成形、押し出し成形に使用される熱可塑性樹脂を広く使用できる他、必要に応じて熱硬化性樹脂を用いることもできる。また、これらの樹脂には必要に応じてガラス繊維、カーボン繊維、金属繊維等の強化繊維や各種充填材、添加剤、着色剤等を加えることができる。
【００２３】
溶融樹脂の射出は、通常の射出成形と同様に、射出機で行われる。射出圧は通常の射出成形と同様で、使用樹脂の種類や強化繊維添加の有無及びその添加量等によっても相違するが、一般的には４．９０〜１９．６１ＭＰａ（５０〜２００ｋｇ／ｃｍ2）程度である。
【００２４】
溶融樹脂の射出は、フローティングコア１を加圧ポート２側に位置させた状態を維持しながら行われる。これは、例えばゲート１１（図２参照）をフローティングコア１より第一排出口３側に設けておくことで行うことができる。
【００２５】
次いで、図４に示されるように、第一排出口３を開放すると共に、開放と同時に又は所定時間経過後に、加圧ポート２から加圧流体を圧入する。
【００２６】
加圧流体としては、射出成形の温度及び圧力下で使用樹脂と反応又は相溶しない気体又は液体が使用される。具体的には、例えば窒素ガス、炭酸ガス、空気、グリセリン、流動パラフィン等が使用できるが、窒素ガスを初めとする不活性ガスが好ましい。
【００２７】
加圧流体の圧入は、例えば窒素ガス等の気体を用いる場合、予め圧縮機で蓄圧タンク内に昇圧して蓄えた窒素ガス等の加圧ガスを配管を通じて加圧ポート２に導くことや、圧縮機で直接加圧ポート２に加圧ガスを送り込んで逐次昇圧させていくことで行うことができる。前者の場合、加圧ポート２に供給する加圧ガスの圧力は、使用樹脂の種類等によっても相違するが、通常４．９０〜２９．４２ＭＰａ（５０〜３００ｋｇ／ｃｍ2Ｇ）程度である。
【００２８】
加圧流体が圧入されると、フローティングコア１は、冷却固化が始まった主キャビティ４の外周寄りの樹脂を残し、冷却が遅れる中心部の溶融樹脂を第一排出口３から第一余剰樹脂収容キャビティ１２へ押し出しながら、第一排出口３側へと前進する。そして、フローティングコア１が通過した後には、フローティングコア１の径にほぼ等しい径の主パイプ中空部７が形成されることになる。従って、フローティングコア１の径を選択することによって主パイプ部９の内径を調整することができる。
【００２９】
上記主パイプ中空部７が形成された箇所の樹脂は、圧入された加圧流体の圧力によって主キャビティ４の周壁面に押し付けられ、その形状が維持される。
【００３０】
更に加圧流体の圧入を進めると、図５に示されるように、フローティングコア１が第一排出口３の位置まで至り、第一排出口３に圧接してこれを閉鎖する。
【００３１】
図５では、フローティングコア１は第一排出口３に圧接されることとしているが、フローティングコア１の第一排出口３への圧接を行わない場合もある。例えばフローティングコア１が第一余剰樹脂収容キャビティ１２内に入り込む場合も含まれる。この場合フローティングコア１の径よりも第一排出口３の径を大きくしておく必要がある。
【００３２】
引き続き、図６に示す様に、加圧流体が加圧ポート２から圧入されている状態で、第二排出口６を開放する。
【００３３】
第二排出口６が開放されると、加圧流体が、冷却固化が始まった分岐部キャビティ５の外周寄りの樹脂を残し、冷却が遅れる中心部の溶融樹脂を第二排出口６から第二余剰樹脂収容キャビティ１５へ押し出しながら、第二排出口６側へと前進する。そして、加圧流体が通過した後には、分岐パイプ中空部７’が形成されることになる。尚、分岐部キャビティ５の径をフローティングコア１の最大径よりも小さくすることにより、フローティングコア１が分岐部キャビティ５内に侵入することを防ぐことが出来る。また、分岐部キャビティ５の径をフローティングコア１の径より大きくする必要がある場合は、主キャビティ４中のフローティングコア１の進行方向に対して、フローティングコア１が侵入しない適宜な角度で分岐部キャビティ５を設置することで、フローティングコア１の分岐部キャビティ５内への侵入を防ぐことが出来る。
【００３４】
上記分岐パイプ中空部７’が形成された箇所の樹脂は、圧入された加圧流体の圧力によって分岐キャビティ５の周壁面に押し付けられ、その形状が維持される。
【００３５】
この状態で主パイプ中空部７、分岐パイプ中空部７’内に加圧流体圧を加えたまま保持することで、樹脂と主キャビティ４及び分岐部キャビティ５の周壁面とを十分に圧接させることができ、冷却に伴うひけの発生を防止することができる。
【００３６】
第二排出口６を開放するタイミングは、フローティングコア１が第一排出口３に到達した後に限らず、主パイプ中空部７が、分岐部キャビティ５が主キャビティ４に連通している部分に達した後であって、分岐部キャビティ５内の中心部が固化する直前までの間の任意の時期でもよい。また、前述のように、分岐部キャビティ５の径をフローティングコア１の最大径よりも小さくする場合には、分岐部キャビティ５内に充填された溶融樹脂が、主キャビティ４内に充填された溶融樹脂よりも早く固化し、分岐部キャビティ５への加圧流体の進入または分岐部キャビティ５内での加圧流体の前進が困難になる場合がある。この様な場合には、主キャビティ４及び分岐部キャビティ５が必要量の溶融樹脂で満たされた後、主パイプ中空部７が、分岐部キャビティ５が主キャビティ４に連通している部分に達する前に、第二排出口６を開放してもよい。
【００３７】
要するに、第一排出口３の解放と第二排出口６の解放は、主キャビティ４及び分岐部キャビティ５が必要量の溶融樹脂で満たされた後であれば、いずれが先であっても、または同時であってもよく、これらの開放はタイマー等でコントロールすればよい。
【００３８】
金型８内の樹脂を冷却した後、主パイプ中空部７、分岐パイプ中空部７’内の加圧流体を排出し、図７に示す成形品を金型８から取り出す。加圧流体の排出は、加圧流体として気体を用いた場合には、加圧ポート２を大気に開放することでも行う事が出来るが、回収タンク（図示していない）へ回収して循環使用することが好ましい。
【００３９】
取り出された成形品には余剰樹脂からなる成形体１２’、１５’が一体となっているが、切断ライン１６，１７の位置で切断することによって、図１に示した分岐部つきパイプ成形体がえられる。尚、余剰樹脂成形体１２’、１５’は、これを回収し、粉砕、あるいは再ペレタイズ等の工程を必要に応じて使い分け、樹脂の無駄を無くすことが出来る。
【符号の説明】
【００４０】
１  フローティングコア
２  加圧ポート
３  第一排出口
４  主キャビティ
５  分岐部キャビティ
６  第二排出口
７  主パイプ中空部
７’  分岐パイプ中空部
８  金型
９  主パイプ部
１０  分岐パイプ部
１１  ゲート
１２  第一余剰樹脂収容キャビティ
１３  第一開閉手段
１４  第二開閉手段
１５  第二余剰樹脂収容キャビティ
１６，１７  切断ライン
【図１】
2010195032.tif 000003
【図２】
2010195032.tif 000004
【図３】
2010195032.tif 000005
【図４】
2010195032.tif 000006
【図５】
2010195032.tif 000007
【図６】
2010195032.tif 000008
【図７】
2010195032.tif 000009